(57)【要約】【課題】自動洗浄小便器において、掃除後の綺麗な状態をより長く維持する。【解決手段】小便器本体と、人体を検知する人体検知手段と、洗浄水の吐水を制御する制御手段と、を備えた自動洗浄小便器において、前記制御手段は、前記人体検知手段による検知に基づいて前記小便器本体への第一の吐水を実行する第一吐水制御部と、所定の時間間隔で前記小便器本体への第二の吐水を実行する第二吐水制御部と、を有し、前記第二吐水制御部は、前記第一の吐水を常時止水状態とする掃除モードの開始又は終了からの経過時間に基づいて、前記時間間隔を変更することを特徴とする自動洗浄小便器。【選択図】図３
2018009318.tif 000002
【特許請求の範囲】
【請求項１】
小便器本体と、
人体を検知する人体検知手段と、
洗浄水の吐水を制御する制御手段と、
を備えた自動洗浄小便器において、
前記制御手段は、前記人体検知手段による検知に基づいて前記小便器本体への第一の吐水を実行する第一吐水制御部と、
所定の時間間隔で前記小便器本体への第二の吐水を実行する第二吐水制御部と、
を有し、
前記第二吐水制御部は、前記第一の吐水を常時止水状態とする掃除モードの開始又は終了からの経過時間に基づいて、前記時間間隔を変更することを特徴とする自動洗浄小便器。
【請求項２】
前記制御手段は、所定期間における前記第一吐水制御部による吐水回数を学習記憶し、
前記第二吐水制御部は、前記経過時間及び学習記憶した前記吐水回数に基づいて前記時間間隔を変更する
請求項１に記載の自動洗浄小便器。
【請求項３】
前記制御手段は、一日における時間帯毎の前記第一吐水制御部による吐水頻度を学習記憶し、
前記第二吐水制御部は、前記経過時間及び学習記憶した前記吐水頻度に基づいて前記時間間隔を変更する
請求項１に記載の自動洗浄小便器。
【請求項４】
前記制御手段は、所定期間における前記掃除モードの開始又は終了の回数を学習記憶し、
前記第二吐水制御部は、前記経過時間及び学習記憶した前記掃除モードの開始又は終了の回数に基づいて前記時間間隔を変更する
請求項１に記載の自動洗浄小便器。
【請求項５】
前記第二吐水制御部は、前記経過時間に基づいて前記時間間隔で吐水される水量を変更する
請求項１乃至４の何れか１項に記載の自動洗浄小便器。
【発明の詳細な説明】
【技術分野】
【０００１】
本発明は、人体検知手段による検知に基づいて吐水部からの吐水を実行する自動洗浄小便器に関する。
【背景技術】
【０００２】
従来から、小便器本体が使用される毎に小便器本体洗浄のための通常洗浄を行うと共に、この通常洗浄とは異なる所定タイミングで殺菌水を供給する小便器洗浄装置（自動洗浄小便器）が知られている（例えば、特許文献１参照）。このように、通常洗浄とは別に殺菌水を流すことで、小便器本体やその下流の排水配管に残った残尿成分等を流すことができ、雑菌の繁殖を抑え、アンモニア臭や尿石の発生を抑制することができる。
【０００３】
加えて、特許文献１に記載の小便器洗浄装置は、小便器本体の所定期間内の使用回数に基づいて、殺菌水の供給タイミングを変更する制御手段を備えている。これにより、例えば小便器本体の所定期間内の使用回数が多い場合、殺菌水の吐水回数を増やすことができる。そのため、アンモニア臭や尿石の発生を効果的に抑制することができる。
【先行技術文献】
【特許文献】
【０００４】
【特許文献１】特許第４５２５１３７号公報
【発明の概要】
【発明が解決しようとする課題】
【０００５】
しかしながら、上述した特許文献１における小便器洗浄装置は、小便器本体の使用回数に基づいて殺菌水の供給タイミングを変更するものであり、例えば清掃業者や管理者等によって実施される掃除については何ら考慮されていない。そのため、小便器本体を綺麗にする掃除の直前又は直後に殺菌水を流してしまった場合、掃除によって小便器本体が綺麗な状態になる直前、又は、小便器本体が綺麗になった直後に殺菌水が流され、殺菌水が無駄に流れてしまうという課題がある。また、掃除を行ってから長時間経過しても、小便器本体の使用回数が所定の条件を満たすまでは殺菌水が流されずに、小便器本体を綺麗な状態に維持することができないといった課題もある。
【０００６】
本発明は、上述した課題を解決するためになされたものであり、節水化しつつ、掃除後の綺麗な状態をより長く維持することができる自動洗浄小便器を提供することを目的とする。
【課題を解決するための手段】
【０００７】
上記目的を達成するために、本発明の一態様に係る自動洗浄小便器によれば、小便器本体と、人体を検知する人体検知手段と、洗浄水の吐水を制御する制御手段と、を備えた自動洗浄小便器において、前記制御手段は、前記人体検知手段による検知に基づいて前記小便器本体への第一の吐水を実行する第一吐水制御部と、所定の時間間隔で前記小便器本体への第二の吐水を実行する第二吐水制御部と、を有し、前記第二吐水制御部は、前記第一の吐水を常時止水状態とする掃除モードの開始又は終了からの経過時間に基づいて、前記時間間隔を変更する。
【０００８】
この構成によれば、掃除モードの開始又は終了からの経過時間に基づいて第二吐水制御部による吐水間隔の時間を変更するので、掃除の実施状況に応じて第二吐水制御部によって吐水される洗浄水を流すタイミングが変更される。例えば、掃除直後は第二吐水制御部の吐水間隔を長くし、掃除から長時間経過後は第二吐水制御部の吐水間隔を短くすることにより、第二吐水制御部による吐水間隔の時間を変更することができる。そのため、掃除モード開始又は終了から長時間経過した場合、つまり、掃除が行われず、便器に汚れが蓄積してしまうような場合でも、節水化しつつ、自動洗浄小便器を綺麗な状態に維持することができる。
【０００９】
また、本発明の一態様に係る自動洗浄小便器において、好ましくは、前記制御手段は、所定期間における前記第一吐水制御部による吐水回数を学習記憶し、前記第二吐水制御部は、前記経過時間及び学習記憶した前記吐水回数に基づいて前記時間間隔を変更する。
【００１０】
この構成によれば、掃除の実施状況だけでなく、第一吐水制御部による吐水回数に基づいて、第二吐水制御部による吐水時間の間隔を変更するので、例えば、第一吐水制御部による吐水回数がより多い場合は、第二吐水制御部による吐水間隔の時間をより短く設定することにより、第二吐水制御部による吐水タイミングを多くすることができる。そのため、使用者の人数に合わせた第二吐水制御部による吐水タイミングで、自動洗浄小便器を綺麗な状態をより維持することができる。
つまり、掃除の実施状況と自動洗浄小便器の使用回数によって変わる汚れ度合いによって、第二吐水制御部による吐水タイミングを決定しているので、節水化しつつ、自動洗浄小便器を綺麗な状態により維持することができる。
【００１１】
また、本発明の一態様に係る自動洗浄小便器において、好ましくは、前記制御手段は、一日における時間帯毎の前記第一吐水制御部による吐水頻度を学習記憶し、前記第二吐水制御部は、前記経過時間及び学習記憶した前記吐水頻度に基づいて前記時間間隔を変更する。
【００１２】
この構成によれば、掃除の実施状況だけでなく、一日における時間帯毎の第一吐水制御部による吐水頻度に基づいて、第二吐水制御部による吐水間隔の時間を変更するので、例えば、第一吐水制御部の吐水頻度が多い時間帯の前の時間帯もしくは後の時間帯に、第二吐水制御部による吐水を実行する時間間隔を短くすることにより、第二吐水制御部による吐水タイミングを多くすることができる。そのため、使用頻度に合わせた第二吐水制御部による吐水タイミングで、自動洗浄小便器を綺麗な状態により維持することができる。
つまり、掃除の実施状況と自動洗浄小便器の使用頻度によって変わる汚れ度合いによって、第二吐水制御部による吐水タイミングを決定しているので、節水化しつつ、自動洗浄小便器を綺麗な状態により維持することができる。
【００１３】
また、本発明の一態様に係る自動洗浄小便器において、好ましくは、前記制御手段は、所定期間における前記掃除モードの開始又は終了の回数を学習記憶し、前記第二吐水制御部は、前記経過時間及び学習記憶した前記掃除モードの開始又は終了の回数に基づいて前記時間間隔を変更する。
【００１４】
この構成によれば、所定期間における掃除モードの開始又は終了の回数に基づいて、第二吐水制御部による吐水が行われるので、例えば掃除モードの開始又は終了の回数が多い、つまり、定期的に掃除が行われている場合は、第二吐水制御部による吐水間隔の時間を長く設定することにより、第二吐水制御部による吐水タイミングを少なくすることができる。そのため、無駄水を流してしまうことが抑制され、自動洗浄小便器を綺麗な状態に維持しつつ、節水化することができる。
【００１５】
また、本発明の一態様に係る自動洗浄小便器において、好ましくは、前記第二吐水制御部は、前記経過時間に基づいて前記時間間隔で吐水される水量を変更する。
【００１６】
この構成によれば、掃除モードの開始又は終了からの経過時間に基づいて、第二吐水制御部による吐水の水量を変更する。これにより、例えば経過時間が一定時間を超えるまでは第二吐水制御部による吐水量を少なくすることで、掃除が行われた直後の綺麗な状態の自動洗浄小便器への吐水量を少なくすることができる。そのため、無駄水を流してしまうことが抑制され、自動洗浄小便器を綺麗な状態に維持しつつ、節水化することができる。
【発明の効果】
【００１７】
本発明によれば、自動洗浄小便器において、節水化しつつ、掃除後の綺麗な状態をより長く維持することができる。
【図面の簡単な説明】
【００１８】
【図１】本発明の一実施形態に係る自動洗浄小便器の概略断面図である。
【図２】本発明の一実施形態に係る自動洗浄小便器の構成を示すブロック図である。
【図３】本発明の一実施形態に係る自動洗浄小便器の第一の動作を示すフローチャートである。
【図４】本発明の一実施形態に係る自動洗浄小便器の第二の動作を示すフローチャートである。
【図５】本発明の一実施形態に係る自動洗浄小便器の第三の動作を示すフローチャートである。
【図６】本発明の一実施形態に係る自動洗浄小便器の第四の動作を示すフローチャートである。
【発明を実施するための形態】
【００１９】
以下、本発明の実施の形態について添付図面を参照しながら説明する。
【００２０】
まず、図１及び図２を参照して、本発明の一実施形態に係る自動洗浄小便器について説明する。
【００２１】
図１は、本発明の一実施形態に係る自動洗浄小便器の概略断面図である。図２は、本発明の一実施形態に係る自動洗浄小便器の構成を示すブロック図である。
【００２２】
図１及び図２に示すように、人体の検知等に基づいて自動で洗浄水を吐水する自動洗浄小便器１は、小便器本体２と、小便器本体２に接近した人体を検知する人体検知センサ４と、洗浄水の吐止水を制御する制御部６と、小便器本体２へ洗浄水を吐水する吐水手段８とを備えている。
なお、人体検知センサ４が人体検知手段としての機能を果たし、制御部６が制御手段としての機能を果たす。
【００２３】
小便器本体２には、使用者が排尿した尿等を受けるボウル部１０が形成されており、このボウル部１０の上部には、吐水手段８が設けられている。この吐水手段８の上流側には、給水源１２から延びる給水路１４が接続されており、給水源１２の水が給水路１４により吐水手段８に供給され、吐水手段８からボウル部１０へ洗浄水が吐水される。
【００２４】
ここで、吐水手段８からボウル部１０への吐水には、第一の吐水と第二の吐水との２種類がある。第一の吐水は、後述する洗浄水側吐水部４６からの吐水であり、通常の洗浄水の吐水である。一方、第二の吐水は、後述する除菌水側吐水部５２からの吐水であり、通常の洗浄水とは機能、性質が異なる洗浄水の吐水である。通常の洗浄水とは機能、性質の異なる洗浄水とは、具体的には、水の電気分解等によって生成される次亜塩素酸を含む除菌水や、銀イオン等の金属イオンが添加された洗浄水、薬液が添加された洗浄水等である。なお、第一の吐水と第二の吐水は、吐水態様が互いに異なる吐水であってもよい。吐水態様が異なる吐水とは、吐水位置や吐水範囲、吐水方式（例えば液状と霧状）、吐水量が異なる吐水である。また、第一の吐水と第二の吐水において、吐水態様が異なっていれば、洗浄水の機能、性質は異なっていなくてもよい。つまり、第二の吐水は、通常の洗浄水の吐水である第一の吐水に対し、洗浄水の種類及び吐水態様の少なくともいずれかが異なる吐水である。
本実施形態においては、第一の吐水の洗浄水は、給水源１２から供給される水道水であり、第二の吐水の洗浄水は、水道水を電気分解して得られた次亜塩素酸を含む除菌水である。
【００２５】
また、ボウル部１０の下部には、ボウル部１０に吐水された洗浄水を一時的に貯留するトラップ部１６が設けられている。このトラップ部１６の下流側には排水口１８が設けられており、排水口１８には、洗浄水や尿等を外部へ搬送するための排水路２０が接続されている。トラップ部１６に貯留された水は、排水路２０側からボウル部１０側に悪臭が侵入することを防止しており、吐水手段８から吐水された洗浄水（第一の吐水又は第二の吐水の洗浄水）の水量に応じて、トラップ部１６に連通する排水口１８から排水路２０へ適宜排出される。
【００２６】
吐水手段８は、洗浄水の吐止水を行う洗浄水側電磁弁４４と、洗浄水を吐水する洗浄水側吐水部４６と、除菌水の吐止水を行う除菌水側電磁弁４８と、除菌水を生成する電解槽５０と、除菌水を吐水する除菌水側吐水部５２とを有している。また、この吐水手段８の流路の上流端は、給水路１４に接続されており、吐水手段８の流路の下流側は、２つの流路に分岐している。
吐水手段８の分岐した一方の流路途中には、洗浄水側電磁弁４４が設けられており、その流路の下流端には、洗浄水側吐水部４６が設けられている。また、吐水手段８の分岐した他方の流路途中には、除菌水側電磁弁４８及び電解槽５０が設けられており、他方の流路の下流端には、除菌水側吐水部５２が設けられている。つまり、吐水手段８の流路は、洗浄水を吐水するための流路と、除菌水を吐水するための流路との２つの流路に分岐している。
【００２７】
洗浄水側電磁弁４４は、洗浄水側吐水部４６からの洗浄水の吐止水を行う開閉弁であり、洗浄水側電磁弁４４が開かれると、洗浄水側吐水部４６からボウル部１０へ洗浄水が吐水される。
【００２８】
除菌水側電磁弁４８は、除菌水側吐水部５２からの洗浄水の吐止水を行う開閉弁であり、除菌水側電磁弁４８が開かれると、除菌水側吐水部５２からボウル部１０へ除菌水が吐水される。
また、除菌水側電磁弁４８と除菌水側吐水部５２の間の流路には、電解槽５０が設けられている。この電解槽５０は、給水源１２からの水を貯水するとともに、内部において次亜塩素酸を含む除菌水を生成して貯水する。詳しくは、電解槽５０の内部には、一対の電極板（図示せず）が設けられており、この電極板に電圧を印加することで貯水された水を電気分解する。このとき、一方の電極板が陰極となり、他方の電極板が陽極となる。水道水には塩素イオンが含まれているため、水道水を電気分解することにより、陽極側の電極板では塩素が発生する。このようにして発生した塩素は水に溶解し、発生した塩素が水に溶解するとき、塩素イオンと次亜塩素酸が発生する。このように、電解槽５０は次亜塩素酸を含む除菌水を生成することができる。
なお、電解槽５０は、給水源１２からの水を貯水する構成を説明したが、電解槽５０に水を貯水せずに、例えば流路中に電極板等を設けて除菌水を生成するような構成であってもよい。
【００２９】
人体検知センサ４は、被検知体を検出するためのセンサであり、送信部２２と、受信部２４と、検出信号生成部２６とを有する。送信部２２は、被検知体、例えば人体や尿流を検出しようとする検出領域（小便器本体２の前方領域）に送信波を送信する。送信部２２から送信される送信波は、例えばマイクロ波等の高周波の電波である。そして、被検知体、例えば人体や尿流によって反射された反射波を受信部２４が受信する。
【００３０】
送信部２２から送信される送信波と受信部２４が受信する反射波は、それぞれ検出信号生成部２６に入力される。そして、検出信号生成部２６は、入力された送信波及び反射波に基づいて検出信号を生成する。検出信号生成部２６によって生成された検出信号は、制御部６へ出力される。
本実施形態においては、人体検知手段は電波を使用した人体センサとしているが、赤外線の投光素子と受光素子を使用した光電センサなど、他の小便器の使用者を検知するセンサでもよい。
【００３１】
制御部６は、信号受信部２８と、第一吐水制御部３０と、掃除モード制御部３２と、第二吐水制御部３４と、使用回数カウント部３６と、使用頻度学習部３８と、掃除回数カウント部４０とを有している。
また、自動洗浄小便器１は、制御部６によって、洗浄水側吐水部４６からの吐水（第一の吐水）及び除菌水側吐水部５２からの吐水（第二の吐水）を常時止水状態とする掃除モードを実行することができる。この掃除モード中には、例えば管理者や清掃業者等による自動洗浄小便器１の清掃が行われる。なお、掃除モード中において、清掃行為に加えて、清掃以外の行為、例えばシステムのメンテナンスや部品交換等が行われてもよい。
【００３２】
信号受信部２８は、検出信号生成部２６から出力される検出信号を受信し、受信した検出信号を第一吐水制御部３０へ送信する。具体的には、信号受信部２８は、人体検知センサ４によって被検知体である人体を検知した信号や、その後、自動洗浄小便器１より人体が離れたことを検知した信号を第一吐水制御部３０へ送信する。さらに、信号受信部２８は、使用頻度学習部３８、使用回数カウント部３６にも適宜検知信号を送信する。
【００３３】
第一吐水制御部３０は、人体検知センサ４による検知に基づいて洗浄水側吐水部４６からの吐水（第一の吐水）を実行する。具体的には、この第一吐水制御部３０は、信号受信部２８から送信される信号を受信すると、その信号に基づいて自動洗浄小便器１が使用されたか否かを判定し、判定した結果に基づいて洗浄水側電磁弁４４を開閉する制御を行う。第一吐水制御部３０において、自動洗浄小便器１が使用されたと判定されたと判定すると、第一吐水制御部３０は洗浄水側電磁弁４４を所定時間開くように制御し、洗浄水側吐水部４６から小便器本体２へ洗浄水が供給される（第一の吐水）。洗浄水側電磁弁４４が開けられて（第一の吐水の開始）から所定時間が経過すると、第一吐水制御部３０によって洗浄水側電磁弁４４が閉じられ、洗浄水側吐水部４６からボウル部１０への洗浄水の供給が停止する。
なお、第一吐水制御部３０は、自動洗浄小便器１より人体が離れたことを検知せずとも、被検知体である人体を検知しただけで自動洗浄小便器１が使用されたと判定するようにしてもよい。また、人体検知センサ４によって尿流等を検知し、その信号に基づいて使用されたかどうかの判定を行ってもよい。
【００３４】
掃除モード制御部３２は、信号受信部２８からの信号に基づいて、掃除モードの開始又は終了を制御する。具体的には、人体検知センサ４によって掃除モードの開始が検知されると、信号受信部２８を介して、掃除モードを開始するよう掃除モード制御部３２へ信号が送信される。また、同様に、人体検知センサ４によって掃除モードの終了が検知されると、信号受信部２８を介して、掃除モードを終了するよう掃除モード制御部３２へ信号が送信される。ここで、人体検知センサ４による掃除モードの開始又は終了の検知は、人体検知センサ４によって例えば人体の手の特定の動きを検知すること等である。
なお、掃除モードの開始又は終了の引き金となるのは、人体検知センサ４の検知によるものに限られず、例えば、磁力によって掃除モードが開始又は終了するようなスイッチを設けて、そのスイッチに磁石を近づけると掃除モードが開始又は終了するような構成であってもよい。さらに、掃除モードは、掃除モードの開始から所定時間が経過した後、自動で終了するようにしてもよい。
【００３５】
第二吐水制御部３４は、所定の時間間隔で小便器本体２へ除菌水側吐水部５２からの吐水（第二の吐水）を実行する。つまり、第二吐水制御部３４は、前回、除菌水側吐水部５２からの吐水（第二の吐水）が実行されてからの経過時間に基づいて、小便器本体２へ除菌水側吐水部５２からの吐水（第二の吐水）を実行する。
この第二吐水制御部３４は、掃除モード制御部３２や使用回数カウント部３６、使用頻度学習部３８、掃除回数カウント部４０、計時部４２から送信される信号を受信すると、その信号に基づいて後述する除菌水側電磁弁４８を開閉する制御を行う。具体的には、除菌水側吐水部５２からの吐水（第二の吐水）実行からの経過時間に基づく信号を第二吐水制御部３４が受信すると、第二吐水制御部３４は除菌水側電磁弁４８を所定時間開くように制御する。第二吐水制御部３４によって除菌水側電磁弁４８が開かれると、給水源１２から電解槽５０へ水が流入する。流入した水の圧力（給水圧）によって、電解槽５０で生成された除菌水が除菌水側吐水部５２から小便器本体２へ除菌水が供給される（第二の吐水）。そして、除菌水側電磁弁４８が開けられて（第二の吐水の開始）から所定時間が経過すると、第二吐水制御部３４によって除菌水側電磁弁４８が閉じられ、除菌水側吐水部５２からボウル部１０への除菌水の供給が停止する。
また、第二吐水制御部３４は、掃除モードの開始又は終了からの経過時間に基づいて、除菌水側吐水部５２からの吐水（第二の吐水）が実行される所定時間（時間間隔）を変更する。
【００３６】
使用回数カウント部３６は、所定期間、例えば１日における、第一吐水制御部３０による吐水回数を学習記憶する。具体的には、信号受信部２８から送信される信号を受信して、所定期間、例えば１日（２４時間）の第一吐水制御部３０による吐水回数を学習記憶する。言い換えると、使用回数カウント部３６は、所定期間、例えば１日（２４時間）の洗浄水側吐水部４６からの吐水回数（第一の吐水の吐水回数）を学習記憶する。そして、学習記憶した情報は、第二吐水制御部３４へ送信される。
ここで、第一吐水制御部３０による吐水回数は、使用者による自動洗浄小便器１の使用回数と同等である。つまり、所定期間の第一吐水制御部３０による吐水回数を学習記憶することで、所定期間の自動洗浄小便器１の使用回数（使用者の人数）を学習記憶し、使用回数（使用者の人数）による自動洗浄小便器１の汚れの度合いを判断することができる。
【００３７】
使用頻度学習部３８は、１日における時間帯毎の第一吐水制御部３０による吐水頻度（第一の吐水の吐水頻度）を学習記憶する。具体的には、信号受信部２８から送信される信号を受信して、１日（２４時間）の時間帯毎の第一吐水制御部３０による吐水頻度、つまり、洗浄水側吐水部４６の吐水頻度を学習記憶する。そして、学習記憶した情報は、第二吐水制御部３４へ送信される。なお、使用頻度学習部３８で学習記憶した情報は、例えば学習記憶した日の翌日以降の自動洗浄小便器１の動作に反映される。
ここで、第一吐水制御部３０による吐水頻度は、使用者による自動洗浄小便器１の使用頻度と同等である。つまり、１日における時間帯毎の第一吐水制御部３０による吐水頻度を学習記憶することで、１日における時間帯毎の自動洗浄小便器１の使用頻度を学習記憶し、使用頻度による自動洗浄小便器１の汚れの度合いを判断することができる。
【００３８】
掃除回数カウント部４０は、所定期間、例えば１日における、掃除モードの開始又は終了の回数を学習記憶する。具体的には、信号受信部２８から送信される信号を受信して、所定期間、例えば１日（２４時間）の掃除モードの開始又は終了の回数を学習記憶する。言い換えると、掃除回数カウント部４０は、所定期間、例えば１日（２４時間）における掃除回数を学習記憶する。そして、学習記憶した情報は、第二吐水制御部３４へ送信される。
【００３９】
計時部４２は、いわゆるタイマであり、除菌水側吐水部５２からの吐水（第二の吐水）実行からの経過時間や掃除モードの開始又は終了してからの経過時間や電源投入後からの経過時間等を計測する。そして、計測した時間の情報は、掃除モード制御部３２、第二吐水制御部３４、使用回数カウント部３６、使用頻度学習部３８、掃除回数カウント部４０等に適宜送信される。
【００４０】
つぎに、図３〜図６を参照して、本発明の一実施形態に係る自動洗浄小便器の動作及び作用について説明する。
【００４１】
図３は、本発明の一実施形態に係る自動洗浄小便器の第一の動作を示すフローチャートである。図４は、本発明の一実施形態に係る自動洗浄小便器の第二の動作を示すフローチャートである。図５は、本発明の一実施形態に係る自動洗浄小便器の第三の動作を示すフローチャートである。図６は、本発明の一実施形態に係る自動洗浄小便器の第四の動作を示すフローチャートである。
【００４２】
本実施形態においては、自動洗浄小便器１は、第一の動作〜第四の動作のいずれか一つの動作を選択的に行うことができる。
【００４３】
はじめに、自動洗浄小便器１の第一の動作を、図３を用いて説明する。
図３に示すように、第一の動作は、人体検知センサ４の検知に基づいて第一の吐水を実行するステップ（Ｓ１０７〜Ｓ１０９）と、第一の吐水及び第二の吐水を常時止水状態とする掃除モードを実行するステップ（Ｓ１０３〜Ｓ１０６）と、掃除モードの開始又は終了からの経過時間に基づいて第二の吐水を実行するステップ（Ｓ１１０〜Ｓ１１１）と、掃除モードの開始からの経過時間に基づいて第二吐水制御部３４による第二の吐水についての吐水のタイミングを変更するステップ（Ｓ１１２〜Ｓ１１４）とを含む。
【００４４】
第一の動作がスタートすると、つまり、自動洗浄小便器１に電源が投入されると、計時部４２によって、第二の吐水が実行されてからの経過時間の計時がスタートする（ステップＳ１０１）。ステップＳ１０１の処理が終了すると、ステップＳ１０２へ進む。
【００４５】
ステップＳ１０２では、計時部４２によって、掃除モードの開始からの経過時間の計時がスタートする。ステップＳ１０２の処理が終了すると、ステップＳ１０３へ進む。
【００４６】
ステップＳ１０３では、掃除モード制御部３２によって掃除モード中か否かを判断する。ここで、掃除モード中とは掃除モード開始から終了までのことを言い、この掃除モード中の間は、第一の吐水および第二の吐水は常時止水状態となる。例えば、人体検知センサ４が掃除モードの開始と終了を検知する場合には、掃除モード制御部３２は、人体検知センサ４が掃除モードの開始を検知してから掃除モードの終了を検知するまでを掃除モード中であると判断する。掃除モード中であると判断した場合には（ステップＳ１０３、Ｙｅｓ）、ステップＳ１０４へ進む。掃除モード中でないと判断した場合には（ステップＳ１０３、Ｎｏ）、ステップＳ１０５へ進む。
【００４７】
ステップＳ１０４では、掃除モード制御部３２によって掃除モードが終了したか否かを判断する。掃除モード中である状態において、人体検知センサ４によって掃除モードの終了が検知されて、信号受信部２８から掃除モード制御部３２へ掃除モードを終了するよう指令信号が送られれば、掃除モードが終了する。掃除モードが終了したと判断した場合には（ステップＳ１０４、Ｙｅｓ）、ステップＳ１１０へ進む。掃除モードが終了していない、つまり、未だ掃除モード中であると判断した場合には（ステップＳ１０４、Ｎｏ）、ステップＳ１０３へ進む。言い換えると、掃除モードが終了したと判断されるまでは、ステップＳ１０３とステップＳ１０４の処理を繰り返す。
【００４８】
ステップＳ１０５では、掃除モード制御部３２によって掃除モードが開始されたか否かを判断する。人体検知センサ４によって掃除モードの開始が検知され、その検知信号に基づいて信号受信部２８から掃除モード制御部３２に掃除モードを開始するよう指令信号が送られて、掃除モード制御部３２によって掃除モードが開始される。掃除モードが開始されたと判断した場合には（ステップＳ１０５、Ｙｅｓ）、ステップＳ１０６へ進む。掃除モードが開始されていないと判断した場合には（ステップＳ１０５、Ｎｏ）、ステップＳ１０７へ進む。
【００４９】
ステップＳ１０６では、掃除モード制御部３２によって、掃除モードが開始される。具体的には、洗浄水側吐水部４６からの吐水（第一の吐水）および除菌水側吐水部５２からの吐水（第二の吐水）が常時止水状態となる。ステップＳ１０６の処理が終了すると、ステップＳ１１４へ進む。
【００５０】
ステップＳ１０７では、第一吐水制御部３０において、人体検知有りか否かを判断する。具体的には、信号受信部２８からの検知信号に基づいて、第一吐水制御部３０によって人体が検知されたか否かを判断する。人体検知有り、つまり、人体が検知されたと判断された場合には（ステップＳ１０７、Ｙｅｓ）、ステップＳ１０３へ進む。人体検知有りではない、つまり、人体が検知されていないと判断した場合には（ステップＳ１０７、Ｎｏ）、ステップＳ１０８へ進む。
【００５１】
ステップＳ１０８では、第一吐水制御部３０によって人体検知有りから人体検知無しに変化したかを判断する。具体的には、人体検知センサ４による検知において、ステップＳ１０８の処理が行われる直前の所定時間の間に人体が検知された状態（人体検知有り）から人体が検知されていない状態（人体検知無し）に変化したか否かを第一吐水制御部３０によって判断する。言い換えると、ステップＳ１０８の処理が行われる直前の所定時間の間に、自動洗浄小便器１に人体が近づいて離れる動作、つまり、使用者が自動洗浄小便器１を使用した動作を、人体検知センサ４が検知したか否かを信号受信部２８からの信号に基づいて第一吐水制御部３０によって判断する。人体が検知された状態（人体検知有り）から人体が検知されていない状態（人体検知無し）に変化した、つまり、自動洗浄小便器１が使用されたと判断した場合には（ステップＳ１０８、Ｙｅｓ）、ステップＳ１０９へ進む。人体が検知された状態（人体検知有り）から人体が検知されていない状態（人体検知無し）に変化していない、つまり、自動洗浄小便器１が使用されていないと判断した場合には（ステップＳ１０８、Ｎｏ）、ステップＳ１１０へ進む。
なお、ここでの所定時間は、例えば５〜１０秒の数秒間である。
【００５２】
ステップＳ１０９では、第一吐水制御部３０によって、第一の吐水が実行される。具体的には、第一吐水制御部３０は、洗浄水側電磁弁４４へ指令信号を送り、洗浄水側電磁弁４４を開くように制御する。そして、第一吐水制御部３０によって洗浄水側電磁弁４４が開かれると、洗浄水側吐水部４６からボウル部１０へ洗浄水が供給される（第一の吐水）。ステップＳ１０９の処理が終了すると、ステップＳ１０３へ進む。
【００５３】
ステップＳ１１０では、第二吐水制御部３４において、計時部４２によって第二の吐水が実行されてからの経過時間が所定時間に到達したか否かを判断する。
計時部４２によって計測された第二の吐水が実行されてからの経過時間が所定時間に到達したと判断した場合には（ステップＳ１１０、Ｙｅｓ）、ステップＳ１１１へ進む。計時部４２によって計測された第二の吐水が実行されてからの経過時間が所定時間に未到達であると判断した場合には（ステップＳ１１０、Ｎｏ）、ステップＳ１０３へ進む。
なお、ここでの所定時間の初期値は２時間とし、その後は、所定時間はステップＳ１１２の処理において適宜設定される。
また、所定時間の初期値は、２時間に限られず、自動洗浄小便器１が設置される現場の状況等に応じて適宜設定可能とする。
【００５４】
ステップＳ１１１では、第二吐水制御部３４によって、第二の吐水が実行される。具体的には、第二吐水制御部３４は、除菌水側電磁弁４８へ信号を送り、除菌水側電磁弁４８を開くように制御する。そして、第二吐水制御部３４によって除菌水側電磁弁４８が開かれると、除菌水側吐水部５２からボウル部１０へ除菌水が供給される（第二の吐水）。ステップＳ１１１の処理が終了すると、ステップＳ１１２へ進む。
【００５５】
ステップＳ１１２では、第二吐水制御部３４において、掃除モードの開始からの経過時間に基づいて第二の吐水を実行する所定時間を設定する。
ここで、所定時間とは、第二の吐水が実行されてから、次の第二の吐水が実行されるまでの時間間隔のことであり、ステップＳ１１２で設定された所定時間は、ステップＳ１１０で用いられる。
また、このとき、掃除モードの開始からの経過時間が長ければ長いほど、所定時間を短く設定する。本実施形態では、計時部４２によって計測された掃除モードの開始からの経過時間が６時間未満（最後に掃除を行ってから６時間経過していない）である場合は、所定時間を２時間にし、計時部４２によって計測された掃除モードの開始からの経過時間が６時間以上（最後に掃除を行ってから６時間以上経過している）である場合は、所定時間を１時間にする。
なお、掃除モードの開始からの経過時間に対する閾値や所定時間は、自動洗浄小便器１が設置される現場の状況等に応じて適宜設定可能とする。また、掃除モードの終了からの経過時間に基づいて判断してもよい。
また、ステップＳ１１２における、掃除モードの開始からの経過時間の判断に用いる閾値を所定の範囲に分けるとともに、所定時間の設定を、４時間、８時間、１２時間のように分けてもよい。
ステップＳ１１２の処理が終了するとステップＳ１１３へ進む。
【００５６】
ステップＳ１１３では、計時部４２によって、第二の吐水が実行されてからの経過時間の計時がスタートする。ステップＳ１１３の処理が終了するとステップＳ１０３へ進む。
【００５７】
ステップＳ１１４では、計時部４２によって、掃除モードが開始されてからの経過時間の計時がスタートする。ステップＳ１１４の処理が終了するとステップＳ１０３へ進む。
【００５８】
このように、第一の動作フローを行う自動洗浄小便器１によれば、掃除モードの開始からの経過時間に基づいて第二吐水制御部３４による吐水間隔の時間を変更するので、掃除の実施状況に応じて第二吐水制御部３４によって吐水される洗浄水を流すタイミングが変更される。例えば、掃除直後は第二吐水制御部３４の吐水間隔を長くし、掃除から長時間経過後は第二吐水制御部３４の吐水間隔を短くすることにより、第二吐水制御部３４による吐水間隔の時間を変更することができる。そのため、掃除モード開始から長時間経過した場合、つまり、掃除が行われず、便器に汚れが蓄積してしまうような場合でも、節水化しつつ、自動洗浄小便器１を綺麗な状態に維持することができる。
【００５９】
つぎに、自動洗浄小便器１の第二の動作を、図４を用いて説明する。
図４に示すように、第二の動作は、前述した第一の動作に加えて、所定期間における第一吐水制御部３０による吐水回数を学習記憶するステップと、掃除モードの開始からの経過時間と学習記憶した吐水回数に基づいて第二吐水制御部３４による第二の吐水についての吐水のタイミングを変更するステップとを含む。
ここで、第一吐水制御部３０による吐水回数は、自動洗浄小便器１の使用回数と同等である。つまり、第二の動作においては、掃除モードの開始からの経過時間と所定期間の第一吐水制御部３０による吐水回数を学習記憶することで、所定期間の自動洗浄小便器１の使用回数（使用者の人数）を学習記憶し、使用回数（使用者の人数）による自動洗浄小便器１の汚れの度合いで吐水のタイミングを決定する。
【００６０】
第二の動作がスタートすると、つまり、自動洗浄小便器１に電源が投入されると、使用回数カウント部３６において、所定期間（本実施形態では１日）における自動洗浄小便器１の使用回数（第一吐水制御部３０による吐水回数）を数えるためのカウンタの初期値がセットされる（ステップＳ２０１）。ステップＳ２０１の処理が終了すると、ステップＳ２０２へ進む。
なお、本実施形態においては、カウンタの初期値はゼロとしている。ここでのカウンタの初期値は、自動洗浄小便器１が設置される環境等に応じて適宜変更されてもよい。
【００６１】
ステップＳ２０２では、使用回数カウント部３６において、学習記憶される所定期間（本実施形態では１日）当たりの自動洗浄小便器１の使用回数（第一吐水制御部３０による吐水回数）の初期値がセットされる。つまり、学習記憶値の初期値がセットされる。ステップＳ２０２の処理が終了するとステップＳ２０３へ進む。
なお、本実施形態においては、学習記憶値の初期値はゼロとしている。ここでの学習記憶値の初期値は、自動洗浄小便器１が設置される環境等に応じて適宜変更されてもよい。
【００６２】
ステップＳ２０３では、計時部４２によって、２４時間（１日）の計時がスタートする。ステップＳ２０３の処理が終了すると、ステップＳ２０４へ進む。
なお、ここでの計時時間は、所定期間（本実施形態では１日）と同じになるように設定される。
【００６３】
ステップＳ２０４では、第二吐水制御部３４において、掃除モードの開始からの経過時間と第一吐水制御部３０によって第一の吐水が実行された回数とに応じて設定される所定時間の初期値がセットされる。具体的には、第二の吐水が実行されてからの経過時間との比較（ステップＳ２１９）に用いる所定時間の初期値がセットされる。ここで、本実施形態の第二の動作フローにおいては、所定時間の初期値は２時間とする。ステップＳ２０４の処理が終了すると、ステップＳ２０５へ進む。
なお、ここでの所定時間の初期値は、２時間に限られず、自動洗浄小便器１が設置される現場の状況等に応じて適宜設定可能とする。
【００６４】
ステップＳ２０５では、計時部４２によって、第二の吐水が実行されてからの経過時間の計時がスタートする。ステップＳ２０５の処理が終了するとステップＳ２０６へ進む。
【００６５】
ステップＳ２０６では、計時部４２によって、掃除モードの開始からの経過時間の計時がスタートする。ステップＳ２０６の処理が終了すると、ステップＳ２０７へ進む。
【００６６】
ステップＳ２０７では、計時部４２によって計測した時間が所定期間（本実施形態では２４時間すなわち１日）経過したか否かを判断する。所定期間経過したと判断した場合には（ステップＳ２０７、Ｙｅｓ）、ステップＳ２０８へ進む。所定期間経過していないと判断した場合には（ステップＳ２０７、Ｎｏ）、ステップＳ２１１へ進む。
【００６７】
ステップＳ２０８では、使用回数カウント部３６に学習記憶されている、所定期間（本実施形態では１日）当たりの使用回数を決定する。具体的には、所定期間（本実施形態では１日）の間の第一吐水制御部３０にて第一の吐水が行われた回数を数えているカウンタである使用回数の値を学習記憶値として記憶する（更新する）。そして、学習記憶値である所定期間（本実施形態では１日）当たりの使用回数を使用回数カウント部３６から第二吐水制御部３４へ送り、後述するステップＳ２２１にて使用する。ステップＳ２０８の処理が終了するとステップＳ２０９へ進む。
【００６８】
ステップＳ２０９では、使用回数カウント部３６にて、カウンタである使用回数のクリアを行う。具体的には、所定期間（本実施形態では１日）の間の第一吐水制御部３０にて第一の吐水が行われた回数を数えているカウンタである使用回数をゼロにリセットする。ステップＳ２０９の処理が終了するとステップＳ２１０へ進む。
【００６９】
ステップＳ２１０では、計時部４２によって、所定期間（本実施形態では２４時間すなわち１日）の計時がリスタートする。言い換えると、計時部４２において、所定期間（本実施形態では２４時間すなわち１日）の計測が終了するとともに、再び所定期間（本実施形態では２４時間すなわち１日）の計測がスタートする。ステップＳ２１０の処理が終了するとステップＳ２１１へ進む。
【００７０】
ステップＳ２１１では、掃除モード制御部３２によって掃除モード中か否かを判断する。ここで、掃除モード中とは掃除モードの開始から終了までのことを言い、この掃除モード中の間は、第一の吐水および第二の吐水は常時止水状態となる。例えば、人体検知センサ４が掃除モードの開始と終了を検知する場合には、掃除モード制御部３２は、人体検知センサ４が掃除モードの開始を検知してから掃除モードの終了を検知するまでを掃除モード中であると判断する。掃除モード中であると判断した場合には（ステップＳ２１１、Ｙｅｓ）、ステップＳ２１４へ進む。掃除モード中でないと判断した場合には（ステップＳ２１１、Ｎｏ）、ステップＳ２１２へ進む。
【００７１】
ステップＳ２１２では、掃除モード制御部３２によって掃除モードが開始されたか否かを判断する。人体検知センサ４によって掃除モードの開始が検知され、その検知信号に基づいて信号受信部２８から掃除モード制御部３２に掃除モードを開始するよう指令信号が送られて、掃除モード制御部３２によって掃除モードが開始される。掃除モードが開始されたと判断した場合には（ステップＳ２１２、Ｙｅｓ）、ステップＳ２１３へ進む。掃除モードが開始されていないと判断した場合には（ステップＳ２１２、Ｎｏ）、ステップＳ２１５へ進む。
【００７２】
ステップＳ２１３では、掃除モード制御部３２によって、掃除モードが開始される。具体的には、洗浄水側吐水部４６からの吐水（第一の吐水）および除菌水側吐水部５２からの吐水（第二の吐水）を常時止水状態とする。ステップＳ２１３の処理が終了すると、ステップＳ２２３へ進む。
【００７３】
ステップＳ２１４では、掃除モードが終了したか否かを判断する。掃除モード中である状態において、人体検知センサ４によって掃除モードの終了が検知されて、信号受信部２８から掃除モード制御部３２へ掃除モードを終了するよう指令信号が送られれば、掃除モードが終了する。掃除モードが終了したと判断した場合には（ステップＳ２１４、Ｙｅｓ）、ステップＳ２１９へ進む。掃除モードが終了していない、つまり、未だ掃除モード中であると判断した場合には（ステップＳ２１４、Ｎｏ）、ステップＳ２０７へ進む。言い換えると、掃除モードが終了したと判断されるまでは、ステップＳ２０７、ステップＳ２１１、ステップＳ２１４の処理を繰り返す。
【００７４】
ステップＳ２１５では、第一吐水制御部３０において、人体検知有りか否かを判断する。具体的には、信号受信部２８からの検知信号に基づいて、第一吐水制御部３０によって人体が検知されたか否かを判断する。人体検知有り、つまり、人体が検知されたと判断された場合には（ステップＳ２１５、Ｙｅｓ）、ステップＳ２０７へ進む。人体検知有りではない、つまり、人体が検知されていないと判断した場合には（ステップＳ２１５、Ｎｏ）、ステップＳ２１６へ進む。
【００７５】
ステップＳ２１６では、第一吐水制御部３０によって人体検知有りから人体検知無しに変化したかを判断する。具体的には、人体検知センサ４による検知において、ステップＳ２１６の処理が行われる直前の所定時間の間に人体が検知された状態（人体検知有り）から人体が検知されていない状態（人体検知無し）に変化したか否かを第一吐水制御部３０によって判断する。言い換えると、ステップＳ２１６の処理が行われる直前の所定時間に自動洗浄小便器１に人体が近づいて離れる動作、つまり、使用者が自動洗浄小便器１を使用した動作を、人体検知センサ４が検知したか否かを信号受信部２８からの信号に基づいて第一吐水制御部３０によって判断する。人体が検知された状態（人体検知有り）から人体が検知されていない状態（人体検知無し）に変化した、つまり、自動洗浄小便器１が使用されたと判断した場合には（ステップＳ２１６、Ｙｅｓ）、ステップＳ２１７へ進む。人体が検知された状態（人体検知有り）から人体が検知されていない状態（人体検知無し）に変化していない、つまり、自動洗浄小便器１が使用されていないと判断した場合には（ステップＳ２１６、Ｎｏ）、ステップＳ２１９へ進む。
なお、ここでの所定時間は、例えば５〜１０秒の数秒間である。
【００７６】
ステップＳ２１７では、第一吐水制御部３０によって、第一の吐水が実行される。具体的には、第一吐水制御部３０は、洗浄水側電磁弁４４へ指令信号を送り、洗浄水側電磁弁４４を開くように制御する。そして、第一吐水制御部３０によって洗浄水側電磁弁４４が開かれると、洗浄水側吐水部４６からボウル部１０へ洗浄水が供給される（第一の吐水）。ステップＳ２１７の処理が終了すると、ステップＳ２１８へ進む。
【００７７】
ステップＳ２１８では、使用回数カウント部３６において、自動洗浄小便器１の使用ごとにカウンタである使用回数の値をカウントアップする。具体的には、第一吐水制御部３０で自動洗浄小便器１の使用が判断され第一の吐水が行われたときに、所定期間（本実施形態では１日）の間の第一の吐水が行われた回数を数えているカウンタである使用回数の値を１回加算する。なお、本実施形態では、第一吐水制御部３０で第一の吐水が行われたときに、自動洗浄小便器１が使用されたとしているが、使用回数カウント部３６において信号受信部２８からの信号に基づいて自動洗浄小便器１の使用を判断してもよい。ステップＳ２１８の処理が終了すると、ステップＳ２０７へ進む。
【００７８】
ステップＳ２１９では、第二吐水制御部３４において、計時部４２によって計測された第二の吐水が実行されてからの経過時間が所定時間に到達したか否かを判断する。計時部４２によって計測された第二の吐水が実行されてからの経過時間が所定時間に到達したと判断した場合には（ステップＳ２１９、Ｙｅｓ）、ステップＳ２２０へ進む。計時部４２によって計測された第二の吐水が実行されてからの経過時間が所定時間に未到達であると判断した場合には（ステップＳ２１９、Ｎｏ）、ステップＳ２０７へ進む。
なお、ここでの所定時間の初期値は、ステップＳ２０４にて設定される。その後は、所定時間はステップＳ２２１の処理において適宜設定される。
【００７９】
ステップＳ２２０では、第二吐水制御部３４によって、第二の吐水が実行される。具体的には、第二吐水制御部３４は、除菌水側電磁弁４８へ信号を送り、除菌水側電磁弁４８を開くように制御する。そして、第二吐水制御部３４によって除菌水側電磁弁４８が開かれると、除菌水側吐水部５２からボウル部１０へ除菌水が供給される（第二の吐水）。ステップＳ２２０の処理が終了すると、ステップＳ２２１へ進む。
【００８０】
ステップＳ２２１では、第二吐水制御部３４によって、掃除モードの開始からの経過時間と所定期間（本実施形態では２４時間すなわち１日）当たりの自動洗浄小便器１の使用回数に応じて所定時間を設定する。ここでの所定期間（本実施形態では２４時間すなわち１日）当たりの自動洗浄小便器１の使用回数は、ステップＳ２０８で決定された値であり、ステップＳ２２１にて設定された所定時間は、ステップＳ２１９で用いられる。
また、このとき、掃除モードの開始からの経過時間が長く、且つ、所定期間（本実施形態では２４時間すなわち１日）当たりの使用回数が多ければ多いほど、所定時間を短く設定する。
本実施形態では、掃除モードの開始からの経過時間が６時間未満である場合の１日当たりの使用回数において、１日当たりの使用回数が１００回未満の場合は所定時間を２時間とし、１日当たりの使用回数が１００回以上２００回未満の場合は所定時間を１．５時間とし、１日当たりの使用回数が２００回以上の場合は所定時間を１時間とする。
また、掃除モードの開始からの経過時間が６時間以上である場合の１日当たりの使用回数において、１日当たりの使用回数が１００回未満の場合は所定時間を１．５時間とし、１日当たりの使用回数が１００回以上２００回未満の場合は所定時間を１時間とし、１日当たりの使用回数が２００回以上の場合は所定時間を０．５時間とする。
なお、これらの使用回数の閾値や所定時間は、自動洗浄小便器１が設置される現場の状況等に応じて適宜設定可能とする。
ステップＳ２２１の処理が終了すると、ステップＳ２２２へ進む。
【００８１】
ステップＳ２２２では、計時部４２によって、第二の吐水が実行されてからの経過時間の計時がスタートする。ステップＳ２２２の処理が終了するとステップＳ２０７へ進む。
【００８２】
ステップＳ２２３では、第二吐水制御部３４から計時部４２へ指令信号が送られる。そして、計時部４２によって、掃除モードが開始されてからの経過時間の計時がスタートする。ステップＳ２２３の処理が終了するとステップＳ２０７へ進む。
【００８３】
このように、第二の動作フローを行う自動洗浄小便器１によれば、前述した第一の動作フローを行う自動洗浄小便器１の作用に加えて、掃除モードの開始からの経過時間と所定期間（本実施形態では１日）の第一吐水制御部３０による吐水回数（自動洗浄小便器１の使用回数）に基づいて、第二吐水制御部３４による吐水タイミングを変更する。これにより、例えば第一吐水制御部３０による吐水回数が多い場合は、第二吐水制御部３４による吐水タイミングを短く設定することができる。つまり、自動洗浄小便器１を使用した（第一の吐水を実行した）回数がより多い場合、第二吐水制御部３４による吐水（第二の吐水）が実行されてから、次の第二の吐水が実行されるまでの所定時間（ステップＳ２１９における所定時間）をより短くすることができる。そのため、自動洗浄小便器１を綺麗な状態により維持することができる。
【００８４】
つぎに、自動洗浄小便器１の第三の動作を、図５を用いて説明する。
図５に示すように、第三の動作は、前述した第一の動作に加えて、一日における時間帯毎の第一吐水制御部３０による吐水頻度を学習記憶するステップと、掃除モードの開始からの経過時間と学習記憶した吐水頻度に基づいて第二吐水制御部３４からの吐水（第二の吐水）の吐水タイミングを変更するステップとを含む。
ここで、第一吐水制御部３０による吐水頻度は、自動洗浄小便器１の使用頻度と同等である。つまり、第三の動作においては、掃除モードの開始からの経過時間と１日における時間帯毎の第一吐水制御部３０による吐水頻度を学習記憶することで、１日における時間帯毎の自動洗浄小便器１の使用頻度を学習記憶し、使用頻度による自動洗浄小便器１の汚れの度合いで吐水のタイミングを決定する。
【００８５】
第三の動作がスタートすると、つまり、自動洗浄小便器１に電源が投入されると、使用頻度学習部３８において、各パラメータが初期化される（ステップＳ３０１）。具体的には、使用頻度学習部３８に記憶されている、時間帯毎の使用回数や、計時部４２における計時時間等が初期化される。なお、本実施形態では、時間帯毎の使用回数はゼロにセットされる。
ステップＳ３０１の処理が終了すると、ステップＳ３０２へ進む。
【００８６】
ステップＳ３０２では、第二吐水制御部３４において、掃除モードの開始からの経過時間と一日における時間帯毎の第一吐水制御部３０による吐水頻度に応じて設定される所定時間の初期値がセットされる。具体的には、第二の吐水が実行されてからの経過時間との比較（ステップＳ３１４）に用いる所定時間の初期値がセットされる。ここで、本実施形態の第三の動作フローにおいては、所定時間の初期値は２時間とする。ステップＳ３０２の処理が終了すると、ステップＳ３０３へ進む。
なお、ここでの所定時間の初期値は、２時間に限られず、自動洗浄小便器１が設置される現場の状況等に応じて適宜設定可能とする。
【００８７】
ステップＳ３０３では、計時部４２によって、第二の吐水が実行されてからの経過時間の計時がスタートする。ステップＳ３０３の処理が終了するとステップＳ３０４へ進む。
【００８８】
ステップＳ３０４では、計時部４２によって、掃除モードの開始からの経過時間の計時がスタートする。ステップＳ３０４の処理が終了すると、ステップＳ３０５へ進む。
【００８９】
ステップＳ３０５では、使用頻度学習部３８において、今日の現時間帯の自動洗浄小便器１の使用回数（第一吐水制御部３０によって第一の吐水が実行された回数）から使用頻度を学習する。具体的には、使用頻度学習部３８において、時間帯が切り替わるごとに（本実施形態では、１時間毎）、時間帯が切り替わる前までの時間帯（本実施形態では１時間）の間に、後述するステップＳ３１３でカウントした第一吐水制御部３０によって第一の吐水が実行された回数を記憶する。ここで記憶された値は、その時間帯の使用頻度の学習値となる。そして、この使用頻度の学習値は、第二吐水制御部３４に送られ、記憶された日の翌日に使用頻度の学習値として、後述するステップＳ３１６にて使用される。
なお、本実施形態では、今日１日の各時間帯の自動洗浄小便器１の使用回数を使用頻度として学習するようにしているが、これは学習方法の一例であり、例えば、複数日（１週間）の間の各時間帯の使用回数を記憶して、平均使用回数を求め、この平均使用回数を使用頻度として学習するなど、他の学習方法であってもよい。また、本実施形態においては、時間帯を１時間毎としているが、自動洗浄小便器１が設置される環境等に応じて適宜変更されてもよく、例えば、時間帯を２時間毎としてもよい。
ステップＳ３０５の処理が終了すると、ステップＳ３０６へ進む。
【００９０】
ステップＳ３０６では、掃除モード制御部３２によって掃除モード中か否かを判断する。ここで、掃除モード中とは掃除モードの開始から終了までのことを言い、この掃除モード中の間は、第一の吐水および第二の吐水は常時止水状態となる。例えば、人体検知センサ４が掃除モードの開始と終了を検知する場合には、掃除モード制御部３２は、人体検知センサ４が掃除モードの開始を検知してから掃除モードの終了を検知するまでを掃除モード中であると判断する。掃除モード中であると判断した場合には（ステップＳ３０６、Ｙｅｓ）、ステップＳ３０９へ進む。掃除モード中でないと判断した場合には（ステップＳ３０６、Ｎｏ）、ステップＳ３０７へ進む。
【００９１】
ステップＳ３０７では、掃除モード制御部３２によって掃除モードが開始されたか否かを判断する。人体検知センサ４によって掃除モードの開始が検知され、その検知信号に基づいて信号受信部２８から掃除モード制御部３２に掃除モードを開始するよう指令信号が送られて、掃除モード制御部３２によって掃除モードが開始される。掃除モードが開始されたと判断した場合には（ステップＳ３０７、Ｙｅｓ）、ステップＳ３０８へ進む。掃除モードが開始されていないと判断した場合には（ステップＳ３０７、Ｎｏ）、ステップＳ３１０へ進む。
【００９２】
ステップＳ３０８では、掃除モード制御部３２によって、掃除モードが開始される。具体的には、洗浄水側吐水部４６からの吐水（第一の吐水）および除菌水側吐水部５２からの吐水（第二の吐水）を常時止水状態とする。ステップＳ３０８の処理が終了すると、ステップＳ３１８へ進む。
【００９３】
ステップＳ３０９では、掃除モードが終了したか否かを判断する。掃除モード中である状態において、人体検知センサ４によって掃除モードの終了が検知されて、信号受信部２８から掃除モード制御部３２へ掃除モードを終了するよう指令信号が送られれば、掃除モードが終了する。掃除モードが終了したと判断した場合には（ステップＳ３０９、Ｙｅｓ）、ステップＳ３１４へ進む。掃除モードが終了していない、つまり、未だ掃除モード中であると判断した場合には（ステップＳ３０９、Ｎｏ）、ステップＳ３０５へ進む。言い換えると、掃除モードが終了したと判断されるまでは、ステップＳ３０５、ステップＳ３０６、ステップＳ３０９の処理を繰り返す。
【００９４】
ステップＳ３１０では、第一吐水制御部３０において、人体検知有りか否かを判断する。具体的には、信号受信部２８からの検知信号に基づいて、第一吐水制御部３０によって人体が検知されたか否かを判断する。人体検知有り、つまり、人体が検知されたと判断された場合には（ステップＳ３１０、Ｙｅｓ）、ステップＳ３０５へ進む。人体検知有りではない、つまり、人体が検知されていないと判断した場合には（ステップＳ３１０、Ｎｏ）、ステップＳ３１１へ進む。
【００９５】
ステップＳ３１１では、第一吐水制御部３０によって人体検知有りから人体検知無しに変化したかを判断する。具体的には、人体検知センサ４による検知において、ステップＳ３１１の処理が行われる直前の所定時間の間に人体が検知された状態（人体検知有り）から人体が検知されていない状態（人体検知無し）に変化したか否かを第一吐水制御部３０によって判断する。言い換えると、ステップＳ３１１の処理が行われる直前の所定時間に自動洗浄小便器１に人体が近づいて離れる動作、つまり、使用者が自動洗浄小便器１を使用した動作を、人体検知センサ４が検知したか否かを信号受信部２８からの信号に基づいて第一吐水制御部３０によって判断する。人体が検知された状態（人体検知有り）から人体が検知されていない状態（人体検知無し）に変化した、つまり、自動洗浄小便器１が使用されたと判断した場合には（ステップＳ３１１、Ｙｅｓ）、ステップＳ３１２へ進む。人体が検知された状態（人体検知有り）から人体が検知されていない状態（人体検知無し）に変化していない、つまり、自動洗浄小便器１が使用されていないと判断した場合には（ステップＳ３１１、Ｎｏ）、ステップＳ３１４へ進む。
なお、ここでの所定時間は、例えば５〜１０秒の数秒間である。
【００９６】
ステップＳ３１２では、第一吐水制御部３０によって、第一の吐水が実行される。具体的には、第一吐水制御部３０は、洗浄水側電磁弁４４へ指令信号を送り、洗浄水側電磁弁４４を開くように制御する。そして、第一吐水制御部３０によって洗浄水側電磁弁４４が開かれると、洗浄水側吐水部４６からボウル部１０へ洗浄水が供給される（第一の吐水）。ステップＳ３１２の処理が終了すると、ステップＳ３１３へ進む。
【００９７】
ステップＳ３１３では、使用頻度学習部３８において、自動洗浄小便器１の使用ごとにカウンタである現時間帯の使用回数の値をカウントアップする。具体的には、第一吐水制御部３０で自動洗浄小便器１の使用が判断され第一の吐水が行われたときに、現時間帯の（本実施形態では１時間）の間の第一の吐水が行われた回数を数えているカウンタである現時間帯の使用回数の値を１回加算する。なお、本実施形態では、第一吐水制御部３０で第一の吐水が行われたときに、自動洗浄小便器１が使用されたとしているが、使用頻度学習部３８において信号受信部２８からの信号に基づいて自動洗浄小便器１の使用を判断してもよい。ここでカウントされた現時間帯の使用回数は、ステップＳ３０５にて、使用頻度の学習に使用される。
ステップＳ３１３の処理が終了すると、ステップＳ３０５へ進む。
【００９８】
ステップＳ３１４では、第二吐水制御部３４において、計時部４２によって計測された第二の吐水が実行されてからの経過時間が所定時間に到達したか否かを判断する。計時部４２によって計測された第二の吐水が実行されてからの経過時間が所定時間に到達したと判断した場合には（ステップＳ３１４、Ｙｅｓ）、ステップＳ３１５へ進む。計時部４２によって計測された第二の吐水が実行されてからの経過時間が所定時間に未到達であると判断した場合には（ステップＳ３１４、Ｎｏ）、ステップＳ３０５へ進む。
なお、ここでの所定時間の初期値はステップＳ３０２にて設定される。その後は、所定時間はステップＳ３１６の処理において適宜設定される。
【００９９】
ステップＳ３１５では、第二吐水制御部３４によって、第二の吐水が実行される。具体的には、第二吐水制御部３４は、除菌水側電磁弁４８へ信号を送り、除菌水側電磁弁４８を開くように制御する。そして、第二吐水制御部３４によって除菌水側電磁弁４８が開かれると、除菌水側吐水部５２からボウル部１０へ除菌水が供給される（第二の吐水）。ステップＳ３１５の処理が終了すると、ステップＳ３１６へ進む。
【０１００】
ステップＳ３１６では、第二吐水制御部３４において、掃除モードの開始からの経過時間と使用頻度学習部３８での学習結果である現時間帯の使用頻度に応じて所定時間を設定する。ここでの現時間帯の使用頻度は、ステップＳ３０５にて前日に学習記憶された値（現時間帯の使用頻度の学習値）である。ステップＳ３１６にて設定された所定時間は、ステップＳ３１４で用いられる。また、このとき、掃除モードの開始からの経過時間が長く、且つ、使用頻度が多ければ多いほど、所定時間を短く設定する。
本実施形態では、掃除モードの開始からの経過時間が６時間未満である場合の現時間帯の使用頻度において、使用頻度が５回未満である場合は所定時間を２時間とし、使用頻度が５回以上１０回未満である場合は所定時間を１．５時間とし、使用頻度が１０回以上である場合は所定時間を１時間とする。
また、掃除モードの開始からの経過時間が６時間以上である場合の現時間帯の使用頻度において、使用頻度が５回未満である場合は所定時間を１．５時間とし、使用頻度が５回以上１０回未満である場合は所定時間を１時間とし、使用頻度が１０回以上である場合は所定時間を０．５時間とする。
なお、これらの使用頻度の閾値や所定時間は、自動洗浄小便器１が設置される現場の状況等に応じて適宜設定可能とする。
ステップＳ３１６の処理が終了すると、ステップＳ３１７へ進む。
【０１０１】
ステップＳ３１７では、計時部４２によって、第二の吐水が実行されてからの経過時間の計時がスタートする。ステップＳ３１７の処理が終了するとステップＳ３０５へ進む
【０１０２】
ステップＳ３１８では、計時部４２によって、掃除モードが開始されてからの経過時間の計時がスタートする。ステップＳ３１８の処理が終了するとステップＳ３０５へ進む。
【０１０３】
このように、第三の動作フローを行う自動洗浄小便器１によれば、前述した第一の動作フローを行う自動洗浄小便器１の作用に加えて、掃除モードの開始からの経過時間と一日における時間帯毎の第一吐水制御部３０による吐水頻度（自動洗浄小便器１の使用頻度）とに基づいて、第二吐水制御部３４による吐水タイミングを変更する。これより、例えば吐水頻度がより多い時間帯の前の時間帯、もしくは、後の時間帯に、第二吐水制御部３４による吐水を実行することができる。そのため、自動洗浄小便器１を綺麗な状態により維持することができる。
【０１０４】
つぎに、自動洗浄小便器１の第四の動作を、図６を用いて説明する。
図６に示すように、第四の動作は、前述した第一の動作に加えて、所定期間における掃除モードの開始（又は終了）の回数を学習記憶するステップと、掃除モードの開始からの経過時間と学習記憶した掃除モードの開始（又は終了）の回数に基づいて第二吐水制御部３４による吐水のタイミングを変更するステップとを含む。
【０１０５】
第四の動作がスタートすると、つまり、自動洗浄小便器１に電源が投入されると、掃除回数カウント部４０において、所定期間（本実施形態では１日）における掃除回数（掃除モードが開始又は終了された回数）を数えるためのカウンタの初期値がセットされる（ステップＳ４０１）。ステップＳ４０１の処理が終了すると、ステップＳ４０２へ進む。
なお、本実施形態においては、カウンタの初期値はゼロとしている。ここでのカウンタの初期値は、自動洗浄小便器１が設置される環境等に応じて適宜変更されてもよい。
【０１０６】
ステップＳ４０２では、掃除回数カウント部４０において、学習記憶される所定期間（本実施形態では１日）当たりの掃除回数（掃除モードが開始又は終了された回数）の初期値がセットされる。つまり、学習記憶値の初期値がセットされる。ステップＳ４０２の処理が終了するとステップＳ４０３へ進む。
なお、本実施形態においては、学習記憶値の初期値はゼロとしている。ここでの学習記憶値の初期値は、自動洗浄小便器１が設置される環境等に応じて適宜変更されてもよい。
【０１０７】
ステップＳ４０３では、計時部４２によって、２４時間（１日）の計時がスタートする。ステップＳ４０３の処理が終了すると、ステップＳ４０４へ進む。なお、ここでの計時時間は、所定期間（本実施形態では１日）と同じになるように設定される。
【０１０８】
ステップＳ４０４では、第二吐水制御部３４において、掃除モードの開始からの経過時間と１日当たりの掃除回数に応じて設定される所定時間の初期値がセットされる。具体的には、第二の吐水が実行されてからの経過時間との比較（ステップＳ４１９）に用いる所定時間の初期値がセットされる。ここで、本実施形態の第四の動作フローにおいては、所定時間の初期値は２時間とする。ステップＳ４０４の処理が終了すると、ステップＳ２０５へ進む。
なお、ここでの所定時間の初期値は、２時間に限られず、自動洗浄小便器１が設置される現場の状況等に応じて適宜設定可能とする。
【０１０９】
ステップＳ４０５では、計時部４２によって、第二の吐水が実行されてからの経過時間の計時がスタートする。ステップＳ４０５の処理が終了するとステップＳ４０６へ進む。
【０１１０】
ステップＳ４０６では、計時部４２によって、掃除モードの開始からの経過時間の計時がスタートする。ステップＳ４０６の処理が終了すると、ステップＳ４０７へ進む。
【０１１１】
ステップＳ４０７では、計時部４２によって計測した時間が所定期間（本実施形態では２４時間すなわち１日）経過したか否かを判断する。所定期間経過したと判断した場合には（ステップＳ４０７、Ｙｅｓ）、ステップＳ４０８へ進む。所定期間経過していないと判断した場合には（ステップＳ４０７、Ｎｏ）、ステップＳ４１１へ進む。
【０１１２】
ステップＳ４０８では、掃除回数カウント部４０に学習記憶されている、所定期間（本実施形態では１日）当たりの掃除回数を決定する。具体的には、所定期間（本実施形態では１日）の間の掃除モード制御部３２にて掃除モードを開始した回数を数えているカウンタである掃除回数の値を学習記憶値として記憶する（更新する）。そして、学習記憶値である所定期間（本実施形態では１日）当たりの掃除回数を掃除回数カウント部４０から第二吐水制御部３４へ送り、後述するステップＳ４２１にて使用する。ステップＳ４０８の処理が終了するとステップＳ４０９へ進む。
なお、本実施形態では、掃除モード制御部３２にて掃除モードを開始した回数を掃除回数としてカウントしているが、掃除モード制御部３２にて掃除モードを終了した回数を掃除回数としてもよい。
【０１１３】
ステップＳ４０９では、掃除回数カウント部４０にて、カウンタである掃除回数のクリアを行う。具体的には、所定期間（本実施形態では１日）の間の掃除モード制御部３２にて掃除モードが開始された回数を数えているカウンタである掃除回数をゼロにリセットする。ステップＳ４０９の処理が終了するとステップＳ４１０へ進む。
【０１１４】
ステップＳ４１０では、計時部４２によって、所定期間（本実施形態では２４時間すなわち１日）の計時がリスタートする。言い換えると、計時部４２において、所定期間の計測が終了するとともに、再び所定期間の計測がスタートする。ステップＳ４１０の処理が終了するとステップＳ４１１へ進む。
【０１１５】
ステップＳ４１１では、掃除モード制御部３２によって掃除モード中か否かを判断する。ここで、掃除モード中とは掃除モードの開始から終了までのことを言い、この掃除モード中の間は、第一の吐水および第二の吐水は常時止水状態となる。例えば、人体検知センサ４が掃除モードの開始と終了を検知する場合には、掃除モード制御部３２は、人体検知センサ４が掃除モードの開始を検知してから掃除モードの終了を検知するまでを掃除モード中であると判断する。掃除モード中であると判断した場合には（ステップＳ４１１、Ｙｅｓ）、ステップＳ４１４へ進む。掃除モード中でないと判断した場合には（ステップＳ４１１、Ｎｏ）、ステップＳ４１２へ進む。
【０１１６】
ステップＳ４１２では、掃除モード制御部３２によって掃除モードが開始されたか否かを判断する。人体検知センサ４によって掃除モードの開始が検知され、その検知信号に基づいて信号受信部２８から掃除モード制御部３２に掃除モードを開始するよう指令信号が送られて、掃除モード制御部３２によって掃除モードが開始される。掃除モードが開始されたと判断した場合には（ステップＳ４１２、Ｙｅｓ）、ステップＳ４１３へ進む。掃除モードが開始されていないと判断した場合には（ステップＳ４１２、Ｎｏ）、ステップＳ４１５へ進む。
【０１１７】
ステップＳ４１３では、掃除モード制御部３２によって、掃除モードが開始される。具体的には、洗浄水側吐水部４６からの吐水（第一の吐水）および除菌水側吐水部５２からの吐水（第二の吐水）を常時止水状態とする。ステップＳ４１３の処理が終了すると、ステップＳ４１８へ進む。
【０１１８】
ステップＳ４１４では、掃除モードが終了したか否かを判断する。掃除モード中である状態において、人体検知センサ４によって掃除モードの終了が検知されて、信号受信部２８から掃除モード制御部３２へ掃除モードを終了するよう指令信号が送られれば、掃除モードが終了する。掃除モードが終了したと判断した場合には（ステップＳ４１４、Ｙｅｓ）、ステップＳ４１９へ進む。掃除モードが終了していない、つまり、未だ掃除モード中であると判断した場合には（ステップＳ４１４、Ｎｏ）、ステップＳ４０７へ進む。言い換えると、掃除モードが終了したと判断されるまでは、ステップＳ４０７、ステップＳ４１１、ステップＳ４１４の処理を繰り返す。
【０１１９】
ステップＳ４１５では、第一吐水制御部３０において、人体検知有りか否かを判断する。具体的には、信号受信部２８からの検知信号に基づいて、第一吐水制御部３０によって人体が検知されたか否かを判断する。人体検知有り、つまり、人体が検知されたと判断された場合には（ステップＳ４１５、Ｙｅｓ）、ステップＳ４０７へ進む。人体検知有りではない、つまり、人体が検知されていないと判断した場合には（ステップＳ４１５、Ｎｏ）、ステップＳ４１６へ進む。
【０１２０】
ステップＳ４１６では、第一吐水制御部３０によって人体検知有りから人体検知無しに変化したかを判断する。具体的には、人体検知センサ４による検知において、ステップＳ４１６の処理が行われる直前の所定時間の間に人体が検知された状態（人体検知有り）から人体が検知されていない状態（人体検知無し）に変化したか否かを第一吐水制御部３０によって判断する。言い換えると、ステップＳ４１６の処理が行われる直前の所定時間に自動洗浄小便器１に人体が近づいて離れる動作、つまり、使用者が自動洗浄小便器１を使用した動作を、人体検知センサ４が検知したか否かを信号受信部２８からの信号に基づいて第一吐水制御部３０によって判断する。人体が検知された状態（人体検知有り）から人体が検知されていない状態（人体検知無し）に変化した、つまり、自動洗浄小便器１が使用されたと判断した場合には（ステップＳ４１６、Ｙｅｓ）、ステップＳ４１７へ進む。人体が検知された状態（人体検知有り）から人体が検知されていない状態（人体検知無し）に変化していない、つまり、自動洗浄小便器１が使用されていないと判断した場合には（ステップＳ４１６、Ｎｏ）、ステップＳ４１９へ進む。
なお、ここでの所定時間は、例えば５〜１０秒の数秒間である。
【０１２１】
ステップＳ４１７では、第一吐水制御部３０によって、第一の吐水が実行される。具体的には、第一吐水制御部３０は、洗浄水側電磁弁４４へ指令信号を送り、洗浄水側電磁弁４４を開くように制御する。そして、第一吐水制御部３０によって洗浄水側電磁弁４４が開かれると、洗浄水側吐水部４６からボウル部１０へ洗浄水が供給される（第一の吐水）。ステップＳ４１７の処理が終了すると、ステップＳ４０７へ進む。
【０１２２】
ステップＳ４１８では、掃除回数カウント部４０において、掃除モードの開始ごとにカウンタである掃除回数の値をカウントアップする。具体的には、掃除モード制御部３２で掃除モードの開始が判断され掃除モードがスタートしたときに、所定期間（本実施形態では１日）の間の掃除モードが開始した回数を数えているカウンタである掃除回数の値を１回加算する。なお、本実施形態では、掃除モード制御部３２で掃除モードがスタートしたときに、掃除モードが開始されたとしているが 、掃除回数カウント部４０において信号受信部２８からの信号に基づいて掃除モードの開始を判断してもよい。ステップＳ４１８の処理が終了すると、ステップＳ４２３へ進む。
【０１２３】
ステップＳ４１９では、第二吐水制御部３４において、計時部４２によって計測された第二の吐水が実行されてからの経過時間が所定時間に到達したか否かを判断する。計時部４２によって計測された第二の吐水が実行されてからの経過時間が所定時間に到達したと判断した場合には（ステップＳ４１９、Ｙｅｓ）、ステップＳ４２０へ進む。計時部４２によって計測された掃除モードの開始からの経過時間が所定時間に未到達であると判断した場合には（ステップＳ４１９、Ｎｏ）、ステップＳ４０７へ進む。
なお、ここでの所定時間の初期値はステップＳ４０４にて設定される。その後は、所定時間はステップＳ４２１の処理において適宜設定される。
【０１２４】
ステップＳ４２０では、第二吐水制御部３４によって、第二の吐水が実行される。具体的には、第二吐水制御部３４は、除菌水側電磁弁４８へ信号を送り、除菌水側電磁弁４８を開くように制御する。そして、第二吐水制御部３４によって除菌水側電磁弁４８が開かれると、除菌水側吐水部５２からボウル部１０へ除菌水が供給される（第二の吐水）。ステップＳ４２０の処理が終了すると、ステップＳ４２１へ進む。
【０１２５】
ステップＳ４２１では、第二吐水制御部３４によって、掃除モードの開始からの経過時間と所定期間（本実施形態では２４時間すなわち１日）当たりの掃除の回数に応じて所定時間を設定する。ここでの所定期間当たりの掃除の回数は、ステップＳ４０８で決定された値であり、ステップＳ４２１にて設定された所定時間は、ステップＳ４１９で用いられる。
また、このとき、掃除モードの開始からの経過時間が短く、且つ、所定期間当たりの掃除の回数が多ければ多いほど、所定時間を長く設定する。
本実施形態では、掃除モードの開始からの経過時間が６時間未満である場合の１日当たりの掃除の回数において、１日当たりの掃除の回数が１回未満の場合は所定時間を１時間とし、１日当たりの掃除の回数が１回又は２回の場合は所定時間を２時間とし、１日当たりの掃除の回数が３回以上の場合は所定時間を３時間とする。
また、掃除モードの開始からの経過時間が６時間以上である場合の１日当たりの掃除の回数において、１日当たりの掃除の回数が１回未満の場合は所定時間を０．５時間とし、１日当たりの掃除の回数が１回又は２回の場合は所定時間を１．５時間とし、１日当たりの掃除の回数が３回以上の場合は所定時間を２．５時間とする。
なお、これらの所定時間は、自動洗浄小便器１が設置される現場の状況等に応じて適宜設定可能とする。
ステップＳ４２１の処理が終了すると、ステップＳ４２２へ進む。
【０１２６】
ステップＳ４２２では、計時部４２によって、第二の吐水が実行されてからの経過時間の計時がスタートする。ステップＳ４２２の処理が終了するとステップＳ４０７へ進む。
【０１２７】
ステップＳ４２３では、第二吐水制御部３４から計時部４２へ指令信号が送られる。そして、計時部４２によって、掃除モードが開始されてからの経過時間の計時がスタートする。ステップＳ４２３の処理が終了するとステップＳ４０７へ進む。
【０１２８】
このように、第四の動作フローを行う自動洗浄小便器１によれば、前述した第一の動作フローを行う自動洗浄小便器１の作用に加えて、掃除モードの開始からの経過時間と所定期間（本実施形態では１日）における掃除モードの開始又は終了の回数（掃除の回数）とに基づいて、第二吐水制御部３４による吐水タイミングを変更する。これにより、例えば掃除モードの開始又は終了の回数が多い（掃除の回数が多い）場合は、第二吐水制御部３４による吐水タイミングを長く設定することができる。つまり、掃除の回数が多い場合、第二吐水制御部３４による吐水（第二の吐水）が実行されてから、次の第二の吐水が実行されるまでの所定時間（ステップＳ４１９における所定時間）を長くすることができる。そのため、無駄水を流してしまうことが抑制され、自動洗浄小便器１を綺麗な状態に維持しつつ、節水化することができる。
【０１２９】
また、本実施形態のように、第二吐水制御部３４によって除菌水を吐水する場合、第二吐水制御部３４による吐水タイミングを長く設定することで、除菌水を生成するための電解槽５０や図示しない電極板等の寿命を長く保つことができる。
【０１３０】
また、第一の動作〜第四の動作フローにおいて、掃除モードの開始又は終了からの経過時間に基づいて所定時間間隔で吐水される第二の吐水の水量を変更するようにしてもよい。具体的には、第二吐水制御部３４による第二の吐水についての吐水のタイミングを変更するステップ（ステップＳ１１２、Ｓ２２１、Ｓ３１６、Ｓ４２１参照）において、掃除モードの開始（又は終了）からの経過時間が６時間以上経過したか否かを判断し、経過時間が６時間以上であると判断した場合には、第二の吐水の水量を「大」に設定し、経過時間が６時間未満であると判断した場合には、第二の吐水の水量を「小」に設定する。このとき、第二の吐水の水量の「大」は、例えば「小」の２倍の水量である。なお、経過時間に対する閾値を細かく決め、第二の吐水の水量を「小」、「中」、「大」のように分けてもよい。
なお、ここでの掃除モードの開始からの経過時間に対する閾値は、６時間に限られず、自動洗浄小便器１が設置され現場の状況等に応じて適宜設定可能とする。また、掃除モードの終了からの経過時間に基づいて判断してもよい。
【０１３１】
このように、掃除モードの開始又は終了からの経過時間に基づいて、第二吐水制御部３４による吐水（第二の吐水）の水量を変更することにより、例えば経過時間が一定時間を超えるまで第二吐水制御部３４による吐水（第二の吐水）の水量を少なくすることができる。その結果、掃除が行われた直後の綺麗な状態の自動洗浄小便器１への吐水量を少なくすることができる。そのため、無駄水を流してしまうことが抑制され、自動洗浄小便器１を綺麗な状態に維持しつつ、節水化することができる。また、本実施形態のように第二吐水制御部３４によって除菌水を吐水する場合、掃除が行われた直後の綺麗な状態の自動洗浄小便器１への第二の吐水（除菌水）の水量を少なくすることができる、つまり、除菌水の生成量を少なくすることができるので、除菌水を生成するための電解槽５０や図示しない電極板等の寿命を長く保つことができる。
【０１３２】
以上、本発明の一実施形態について説明したが、本発明は、上述した実施形態に限定されるものではない。
【０１３３】
例えば、本実施形態において、第二吐水制御部３４による第二の吐水は、除菌水の吐水である構成を説明したが、例えば、銀イオン等の金属イオンが添加された洗浄水や、薬液が添加された洗浄水等であってもよい。
【０１３４】
また、第二の吐水を、第一の吐水と機能、性質が同一である洗浄水の吐水として、吐水態様のみを異ならせてもよい。
【０１３５】
また、掃除モード中は、第一の吐水及び第二の吐水が常時止水状態となる構成を説明したが、掃除モード中は、第一の吐水のみが常時止水状態となる構成であってもよい。
【０１３６】
前述した各実施の形態が備える各要素は、技術的に可能な限りにおいて組み合わせることができ、これらを組み合わせたものも本発明の特徴を含む限り本発明の範囲に包含される。
【符号の説明】
【０１３７】
１    自動洗浄小便器
２    小便器本体
４    人体検知センサ
６    制御部（制御手段）
８    吐水手段
１０    ボウル部
１２    給水源
１４    給水路
１６    トラップ部
１８    排水口
２０    排水路
２２    送信部
２４    受信部
２６    検出信号生成部
２８    信号受信部
３０    第一吐水制御部
３２    掃除モード制御部
３４    第二吐水制御部
３６    使用回数カウント部
３８    使用頻度学習部
４０    掃除回数カウント部
４２    計時部
４４    洗浄水側電磁弁
４６    洗浄水側吐水部
４８    除菌水側電磁弁
５０    電解槽
５２    除菌水側吐水部
【図１】
2018009318.tif 000003
【図２】
2018009318.tif 000004
【図３】
2018009318.tif 000005
【図４】
2018009318.tif 000006
【図５】
2018009318.tif 000007
【図６】
2018009318.tif 000008